(57)【要約】【課題】パネルが、パネルの外周を囲うパネル囲み部材の中から移動することを抑制する。【解決手段】パネル（２）の端面（２ｃ）、および、第１キャビネット（５）のパネル（２）の端面（２ｃ）に対向する対向面（５ｃ）のそれぞれが、パネル（２）が第１キャビネット（５）の凹部の中から移動することを抑制する外れ抑制構造を備えている。【選択図】図２
2018074331.tif 000002
【特許請求の範囲】
【請求項１】
平板状のパネルと、上記パネルの外周を囲うパネル囲み部材と、を備え、上記パネル囲み部材の中に上記パネルを配置した状態で、上記パネルおよび上記パネル囲み部材のそれぞれが電子機器筐体に組み付けられる電子機器筐体のパネル構造であって、
上記パネルの端面、および、上記パネル囲み部材の上記パネルの端面に対向する対向面のそれぞれが、上記パネルが上記パネル囲み部材の中から移動することを抑制する外れ抑制構造を備えていることを特徴とする電子機器筐体のパネル構造。
【請求項２】
上記パネルの端面の上記電子機器筐体の内部側の角が、上記端面の上記電子機器筐体の外部側の角よりも上記パネル囲み部材側に張り出しており、
上記パネル囲み部材の上記対向面の上記電子機器筐体の外部側の角が、上記対向面の上記電子機器筐体の内部側の角よりも上記パネル側に張り出していることを特徴とする請求項１に記載の電子機器筐体のパネル構造。
【請求項３】
上記パネルの端面が、曲面で構成されており、
上記パネル囲み部材の上記対向面が、上記パネルの端面と嵌合する曲面で構成されていることを特徴とする請求項１または２に記載の電子機器筐体のパネル構造。
【請求項４】
上記パネルの端面に凸部が形成されており、
上記パネル囲み部材の上記対向面に、上記凸部と嵌合する凹部が形成されていることを特徴とする請求項１または２に記載の電子機器筐体のパネル構造。
【請求項５】
請求項１から４までの何れか１項に記載の上記電子機器筐体のパネル構造を有していることを特徴とする電子機器。
【発明の詳細な説明】
【技術分野】
【０００１】
本発明は、平板状のパネルと、上記パネルの外周を囲うパネル囲み部材とを備えた電子機器筐体のパネル構造、および当該パネル構造を有する電子機器に関する。
【背景技術】
【０００２】
従来、携帯端末の表示部を含む筐体の構造は、表示部および表示部用基板の位置決めを兼ねて表側に表示部嵌合用凹部を有し、裏側に基板嵌合用凹部を有するフレームに表示部と液晶用基板とをそれぞれ係合させ、そのフレームを裏側キャビネットと表示部用窓付の表側キャビネットとで包むように結合されていた。例えば、特許文献１には、携帯端末の表示部を含む筐体の構造が開示されている。
【０００３】
図６に従来の携帯端末筐体のパネル構造を示す。図６の（ａ）に示すように、従来の携帯端末筐体のパネル構造には、平板状のパネル１０２と、パネル１０２の外周を囲う表示部嵌合用凹部を有するキャビネット１０５が設けられている。また、キャビネット１０５における表示部嵌合用凹部の中にパネル１０２を配置した状態で、パネル１０２およびキャビネット１０５のそれぞれが携帯端末筐体に組み付けられている。
【先行技術文献】
【特許文献】
【０００４】
【特許文献１】特開２００９−２３９６７０号公報（２００９年１０月１５日公開）
【発明の概要】
【発明が解決しようとする課題】
【０００５】
しかしながら、上記の従来技術では、パネル１０２が、パネル１０２の外周を囲うパネル囲み部材であるキャビネット１０５の表示部嵌合用凹部の中から移動してしまう可能性があるという問題点がある。図６の（ａ）に示す例では、パネル１０２の端面１０２ｃは、パネル１０２の表面に対して、垂直な面を構成している。一方、表示部嵌合用凹部の内側面１０５ｃの筐体の内部側の角１０５ｂは、外部側の角１０５ａよりもパネル１０２側に張り出している。このため、キャビネット１０５の表示部嵌合用凹部の中に配置されたパネル１０２は、携帯端末に衝撃、曲げ、ねじりなどの負荷が加わると、図６の（ｂ）に示すようにパネル１０２は、キャビネット１０５の内側面１０５ｃに強く押しつけられ、パネル１０２が内側面１０５ｃをずり上がり、パネル１０２がキャビネット１０５の表示部嵌合用凹部の中から移動してしまう可能性がある。
【０００６】
本発明は、上記の問題点に鑑みて為されたものであり、その目的は、パネルが、パネルの外周を囲うパネル囲み部材の中から移動することを抑制することができる電子機器筐体のパネル構造を実現することにある。
【課題を解決するための手段】
【０００７】
上記の課題を解決するために、本発明の一態様に係る電子機器筐体のパネル構造は、平板状のパネルと、上記パネルの外周を囲うパネル囲み部材と、を備え、上記パネル囲み部材の中に上記パネルを配置した状態で、上記パネルおよび上記パネル囲み部材のそれぞれが電子機器筐体に組み付けられる電子機器筐体のパネル構造であって、上記パネルの端面、および、上記パネル囲み部材の上記パネルの端面に対向する対向面のそれぞれが、上記パネルが上記パネル囲み部材の中から移動することを抑制する外れ抑制構造を備えていることを特徴としている。
【発明の効果】
【０００８】
本発明の一態様によれば、パネルが、パネルの外周を囲うパネル囲み部材の中から移動することを抑制することができるという効果を奏する。
【図面の簡単な説明】
【０００９】
【図１】本発明の実施形態１に係る電子機器の全体構造を示す分解斜視図である。
【図２】本発明の実施形態１に係る電子機器筐体のパネル構造を示す図である。
【図３】本発明の実施形態２に係る電子機器筐体のパネル構造を示す図である。
【図４】本発明の実施形態３に係る電子機器筐体のパネル構造を示す図である。
【図５】（ａ）は、本発明の変形例１に係る電子機器筐体のパネル構造を示す図であり、（ｂ）は、本発明の変形例２に係る電子機器筐体のパネル構造を示す図である。
【図６】従来の電子機器筐体のパネル構造を示す図である。
【発明を実施するための形態】
【００１０】
以下、本発明の実施の形態について、詳細に説明する。
【００１１】
〔携帯端末の構成〕
図１の（ａ）は、スマートフォン（電子機器）１の外観構成を示す斜視図である。同図では紙面に対して上側が、表示面側（表側という）となっている。紙面に対して下側が、背面カバー側（裏側という）となっている。本実施形態では、電子機器の例としてスマートフォンを例示して説明するが、本発明を適用可能な電子機器はこれに限定されず、携帯電話機、タブレット端末（電子書籍端末を含む）、および携帯型ゲーム機等であっても良い。
【００１２】
図１の（ｂ）は、スマートフォン１の全体構造を示す分解斜視図である。同図に示すように、スマートフォン１は、表側から順にパネル２、表示装置３、両面テープ４、第１キャビネット（パネル囲み部材）５、制御基板６、電池７、第２キャビネット８、および背面カバー９を備える。パネル２は、表示装置３の表側を覆うものである。なお、パネル２はタッチセンサ機能も合わせ持っていても良い。第１キャビネット５の表側には、パネル２を収容するための凹部が形成されており、パネル２は両面テープ４を介して第１キャビネット５の凹部の中に固定される。
【００１３】
本実施形態では、パネル２の第１キャビネット５に対する固定を、両面テープ４を介して行っているが、パネル２の固定が可能であれば、パネル２を、弾性を持つ接着剤などを用いて第１キャビネット５に固定しても良い。なお、制御基板６、電池７、第２キャビネット８、および背面カバー９の各構成については、本発明の本質とはあまり関係がないため、ここでは、説明を省略する。
【００１４】
〔実施形態１〕
次に、図２に基づき、本発明の実施形態１に係る電子機器筐体のパネル構造について説明する。図２の（ａ）および（ｂ）は、それぞれ、実施形態１に係る電子機器筐体のパネル構造を示す図である。また、図２の（ａ）および（ｂ）は、それぞれ、図１の（ａ）に示すスマートフォン１のＡ−Ａ断面の要部を示す断面図である。図２の（ａ）に示すように本実施形態のパネル構造は、水平方向に延在する平板状のパネル２と、パネル２の外周を囲う第１キャビネット５と、を備えている。パネル２の外周の全て、またはその一部は、第１キャビネット５で囲われている。また、パネル２を囲う第１キャビネット５の高さは、パネル２の厚みに対して全体もしくは一部が重なるような高さとする。パネル２の形状は本実施形態では、矩形であるが、これに限定されず、円形、楕円、三角形、星型、および多角形などの様々な形状を採用することができる。
【００１５】
また、パネル２および第１キャビネット５のそれぞれは、第１キャビネット５の凹部の中にパネル２を配置した状態で電子機器筐体（スマートフォン１の筐体）に組み付けられている。第１キャビネット５の凹部にパネル２が嵌め込まれ、パネル２の裏側の面が第１キャビネット５の凹部の底面に両面テープ４で貼り付けられている。
【００１６】
図２の（ａ）に示すように、パネル２の端面２ｃ、および第１キャビネット５の、上記の端面２ｃに対向する対向面５ｃのそれぞれは、後述するように、パネル２が第１キャビネット５の凹部の中から移動することを抑制する外れ抑制構造を備えている。
【００１７】
具体的には、本実施形態では、パネル２の端面２ｃの電子機器筐体の内部側（裏側）の角２ｂが、端面２ｃの電子機器筐体の外部側（表側）の角２ａよりも第１キャビネット５側（外側）に張り出している。すなわち、角２ａと角２ｂとの間は、紙面に対して右下がりの傾斜構造（外れ抑制構造）が形成されている。
【００１８】
一方、第１キャビネット５の対向面５ｃの電子機器筐体の外部側（表側）の角５ａが、対向面５ｃの電子機器筐体の内部側（裏側）の角５ｂよりもパネル２側（内側）に張り出している。すなわち、角５ａと角５ｂとの間は、紙面に対して右下がりの傾斜構造（外れ抑制構造）が形成されている。
【００１９】
上記構成によれば、図２の（ｂ）に示すように、電子機器筐体に衝撃、曲げ、ねじりなどの負荷が加わり、パネル２の端面２ｃと第１キャビネット５の対向面５ｃとが接触すると、パネル２が第１キャビネット５の凹部の中から移動することを抑制する方向（パネル２の表側から裏側に向う方向）の力がパネル２に働く。このため、パネル２が、パネル２の外周を囲う第１キャビネット５の凹部の中から移動することを抑制することができる。これにより、第１キャビネット５からパネル２が外れにくくなる。
【００２０】
パネル２の端面２ｃの傾斜構造、および第１キャビネット５の対向面５ｃの傾斜構造は、パネル２の外周の全部または一部に設けることができる。例えば、パネル２の互いに対向する２辺に上記傾斜構造を形成しても良いし、パネル２の互いに隣接する二辺に上記傾斜構造を採用しても良いし、パネル２の三辺や四辺に上記傾斜構造を採用しても良い。また、両面テープ４の幅が狭くパネル２が外れ易い部分や、衝撃、曲げ、ねじりなどの負荷が集中し易い場所などに上記傾斜構造を設けても良い。パネル２と第１キャビネット５の上記傾斜構造を形成する方法として、金型スライド（傾斜駒）を用いる方法や、射出成型後の切削加工などが考えられるが傾斜構造を形成することが可能であれば、その方法は問わない。
【００２１】
また、隙間ｄはパネル２の貼りつけのためゼロにはできないが可能な限り最小とすることが望ましい。両面テープ４は図２の（ｂ）に示すような変形状態になった場合でも機能を失わない幅、材質、および厚みとする。
【００２２】
〔実施形態２〕
次に、図３に基づき、本発明の実施形態２に係る電子機器筐体のパネル構造について説明する。図３の（ａ）および（ｂ）は、それぞれ、実施形態２に係る電子機器筐体のパネル構造を示す図である。また、図３の（ａ）および（ｂ）は、それぞれ、図１の（ａ）に示すスマートフォン１のＡ−Ａ断面の要部を示す断面図である。
【００２３】
実施形態１では、パネル２の端面２ｃおよび第１キャビネット５の対向面５ｃのそれぞれに傾斜構造を設けた形態について説明したが、パネル２が外れる方向への移動を防ぐことが可能であれば、パネル２の端面２ｃおよび第１キャビネット５の対向面５ｃのそれぞれの構造は、傾斜構造に限定されない。
【００２４】
例えば、本実施形態の電子機器筐体のパネル構造では、図３の（ａ）に示すように、パネル２の端面２ｃを、曲面で構成する。すなわち、本実施形態では、角２ａと角２ｂとの間には、断面が円弧形状の曲面（外れ抑制構造）を形成している。一方、第１キャビネット５の対向面５ｃは、パネル２の端面２ｃと嵌合する曲面で構成する。すなわち、角５ａと角５ｂとの間には、断面が、パネル２の端面２ｃと同様の曲率を有する円弧形状の曲面（外れ抑制構造）を形成している。なお、第１キャビネット５の対向面５ｃの曲率と、パネル２の端面２ｃの曲率とは、完全に同一でなくても良い。
【００２５】
本実施形態の電子機器筐体のパネル構造によれば、電子機器筐体に衝撃、曲げ、ねじりなどの負荷が加わり、パネル２の端面２ｃと第１キャビネット５の対向面５ｃとが接触すると、図３の（ｂ）に示すようにパネル２の端面２ｃの曲面と、第１キャビネット５の対向面５ｃの曲面とが嵌合する。このため、パネル２が、パネル２の外周を囲う第１キャビネット５の凹部の中から移動することを抑制することができる。これにより、第１キャビネット５からパネル２が外れにくくなる。
【００２６】
〔実施形態３〕
次に、図４に基づき、本発明の実施形態３に係る電子機器筐体のパネル構造について説明する。図４の（ａ）および（ｂ）は、それぞれ、実施形態３に係る電子機器筐体のパネル構造を示す図である。また、図４の（ａ）および（ｂ）は、それぞれ、図１の（ａ）に示すスマートフォン１のＡ−Ａ断面の要部を示す断面図である。
【００２７】
図４の（ａ）に示すように、本実施形態の電子機器筐体のパネル構造では、パネル２の端面には、凹部２ｐおよび凸部２ｑが形成されている。一方、第１キャビネット５のパネル２の端面に対する対向面には、凹部２ｐと嵌合する凸部５ｐ、および凸部２ｑと嵌合する凹部５ｑが形成されている。
【００２８】
上記構成によれば、図４の（ｂ）に示すように、電子機器筐体に衝撃、曲げ、ねじりなどの負荷が加わり、パネル２の端面と第１キャビネット５の対向面とが接触すると、パネル２の端面の凸部２ｑ（外れ抑制構造）と、第１キャビネット５の対向面の凹部５ｑ（外れ抑制構造）とが嵌合する。このため、パネル２が、パネル２の外周を囲う第１キャビネット５の凹部の中から移動することを抑制することができる。これにより、第１キャビネット５からパネル２が外れにくくなる。
【００２９】
〔変形例１〕
次に、図５の（ａ）に基づき、本発明の変形例１に係る電子機器筐体のパネル構造について説明する。上述した形態では、パネル２の外周を囲うパネル囲み部材の例として、第１キャビネット５を採用した場合の例について説明したが、パネル囲み部材は第１キャビネット５に限定されない。例えば、図５の（ａ）に示すように、第１キャビネット５の代わりに、パネル２の外周を囲う別パーツ１０をパネル囲み部材として採用しても良い。
【００３０】
〔変形例２〕
次に、図５の（ｂ）に基づき、本発明の変形例２に係る電子機器筐体のパネル構造について説明する。同図に示すように、パネル２の外周を囲うパネル囲み部材の例として、上述した第１キャビネット５の代わりに、パネル２の外周を囲う背面カバー１１をパネル囲み部材として採用しても良い。
【００３１】
〔変形例３〕
次に、上述した形態では、パネル２が、スマートフォン１の表示部側を覆う表側パネルである形態について説明したが、これに限定されず、パネル２は、スマートフォン１の非表示部側を覆う裏側パネルであっても良い。
【００３２】
〔まとめ〕
本発明の態様１に係る電子機器筐体のパネル構造は、平板状のパネル（２）と、上記パネルの外周を囲うパネル囲み部材（第１キャビネット５）と、を備え、上記パネル囲み部材の中に上記パネルを配置した状態で、上記パネルおよび上記パネル囲み部材のそれぞれが電子機器筐体に組み付けられる電子機器筐体のパネル構造であって、上記パネルの端面（２ｃ）、および、上記パネル囲み部材の上記パネルの端面に対向する対向面（５ｃ）のそれぞれが、上記パネルが上記パネル囲み部材の中から移動することを抑制する外れ抑制構造を備えている構成である。上記構成によれば、パネルの端面、および、パネル囲み部材のパネルの端面に対向する対向面のそれぞれが、パネルがパネル囲み部材の中から移動することを抑制する外れ抑制構造を備えている。このため、パネルが、パネルの外周を囲うパネル囲み部材の中から移動することを抑制することができる。
【００３３】
本発明の態様２に係る電子機器筐体のパネル構造は、上記態様１において、上記パネルの端面の上記電子機器筐体の内部側の角（２ｂ）が、上記端面の上記電子機器筐体の外部側の角（２ａ）よりも上記パネル囲み部材側に張り出しており、上記パネル囲み部材の上記対向面の上記電子機器筐体の外部側の角（５ａ）が、上記対向面の上記電子機器筐体の内部側の角（５ｂ）よりも上記パネル側に張り出していることが好ましい。上記構成によれば、電子機器筐体に衝撃、曲げ、ねじりなどの負荷が加わり、パネルの端面とパネル囲み部材の対向面とが接触すると、パネルがパネル囲み部材の中から移動することを抑制する方向の力がパネルに働く。このため、パネルが、パネルの外周を囲うパネル囲み部材の中から移動することを抑制することができる。
【００３４】
本発明の態様３に係る電子機器筐体のパネル構造は、上記態様１または２において、上記パネルの端面が、曲面で構成されており、上記パネル囲み部材の上記対向面が、上記パネルの端面と嵌合する曲面で構成されていても良い。上記構成によれば、電子機器筐体に衝撃、曲げ、ねじりなどの負荷が加わり、パネルの端面とパネル囲み部材の対向面とが接触すると、パネルの端面の曲面と、パネル囲み部材の対向面の曲面とが嵌合する。このため、パネルが、パネルの外周を囲うパネル囲み部材の中から移動することを抑制することができる。
【００３５】
本発明の態様４に係る電子機器筐体のパネル構造は、上記態様１または２において、上記パネルの端面に凸部（２ｑ）が形成されており、上記パネル囲み部材の上記対向面に、上記凸部と嵌合する凹部（５ｑ）が形成されていても良い。上記構成によれば、電子機器筐体に衝撃、曲げ、ねじりなどの負荷が加わり、パネルの端面とパネル囲み部材の対向面とが接触すると、パネルの端面の凸部と、パネル囲み部材の対向面の凹部とが嵌合する。このため、パネルが、パネルの外周を囲うパネル囲み部材の中から移動することを抑制することができる。
【００３６】
本発明の態様５に係る電子機器は、上記態様１〜４の何れかの上記電子機器筐体のパネル構造を有していることが好ましい。上記構成によれば、パネルが、パネルの外周を囲うパネル囲み部材の中から移動することを抑制することができる電子機器を実現することができる。
【００３７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００３８】
１    スマートフォン（電子機器）
２    パネル
２ｃ  端面
２ｑ  凸部
５    第１キャビネット（パネル囲み部材）
５ｃ  対向面
５ｑ  凹部
１０    別パーツ（パネル囲み部材）
１１    背面カバー（パネル囲み部材）
【図１】
2018074331.tif 000003
【図２】
2018074331.tif 000004
【図３】
2018074331.tif 000005
【図４】
2018074331.tif 000006
【図５】
2018074331.tif 000007
【図６】
2018074331.tif 000008